(57)【要約】【課題】  側面に継目のないデザイン性に優れる炊飯器を提供する。【解決手段】  底を有する筒状の本体２と、該本体２に収容される鍋３と、本体２と鍋３の上部開口を閉塞する蓋体４とを有し、本体２は、外側の側面を構成する外胴５と、内側の側面を構成する内胴８と、外胴５と内胴８の上部を繋ぐ肩体６と、底面を構成する底体７とからなり、肩体６の上端外周部に凹型断面を有するトラップ受部１２を設け、外胴５の上端部に、トラップ受部１２の上部を覆う頂面部１３と、頂面部１３の下面にトラップ受部１２内に嵌合するトラップ差込部１４とを設けた。【選択図】図２
2005152119.tif 000002
【特許請求の範囲】
【請求項１】
底を有する筒状の本体と、該本体の中に収容される鍋と、前記本体と前記鍋の上部開口を閉塞する蓋体とを有し、
前記本体は、外側の側面を構成する外胴と、内側の側面を構成する内胴と、前記外胴と前記内胴の上部を繋ぐ肩体と、底面を構成する底体とからなり、
前記肩体の上端外周部に凹型断面を有するトラップ受部を設け、
前記外胴の上端部に、前記トラップ受部の上部を覆う頂面部と、該頂面部の下面に前記トラップ受部内に嵌合するトラップ差込部とを設けたことを特徴とする炊飯器。
【請求項２】
前記肩体の前記トラップ受部よりも内側に前記頂面部よりも高い壁部を設けたことを特徴とする請求項１に記載の炊飯器。
【請求項３】
前記トラップ受部の下側の外縁部から立ち下げた垂下部を設けたことを特徴とする請求項１または２に記載の炊飯器。
【発明の詳細な説明】
【技術分野】
【０００１】
本発明は、炊飯器、特にその胴部の構造に関する。
【背景技術】
【０００２】
図６は、特許文献１に記載されているような従来の炊飯器２１の構造を示す断面図である。炊飯器２１は、本体２２、鍋２３および蓋体２４からなり、本体２２は、外胴２５、肩体２６、底体２７、内胴２８および保護枠２９からなっている。外胴２５は、肩体２６と底体２７とで上下に挟まれるように取付けられている。このため、図７および図８に示すように、外胴２５と肩体２６および底体２７との突合せ部分は、互いに嵌合して、それらの外側面が面一になるような形状をしている。また、内胴２８は、底体２７の一部として設けられた台座部分にともにビス止めされた肩体２６と保護枠２９との間に挟み込まれて固定されている。保護枠２９は、フランジ部分を底体２７の台座部２７ａに被せるようにして位置決めするようになっている。
【特許文献１】特開平６−２９２６３０号公報
【０００３】
上記のような構造では、外胴２５と肩体２６および底体２７との継目が炊飯器２１の側面に位置しているが、この継目は、各部材が主に樹脂成形品であり厳密な加工精度が得られないために、隙間なく合わせることができずに目立ってしまう。このため、環状の溝を設けて継目を意識させにくくしている例もある。また、外胴２５は美観のために塗装が施されるが、肩体２６および底体２７は塗装されないのが通例であり、炊飯器２１の側面の上下に塗装されない部分が帯状に残ってしまう。このように、外胴２５と肩体２６および底体２７との継目はデザイン上の大きな制約となっている。
【発明の開示】
【発明が解決しようとする課題】
【０００４】
そこで、本発明は、側面に継目のないデザイン性に優れる炊飯器を提供することを課題とする。
【課題を解決するための手段】
【０００５】
本発明による炊飯器は、底を有する筒状の本体と、該本体の中に収容される鍋と、前記本体と前記鍋の上部開口を閉塞する蓋体とを有し、前記本体は、外側の側面を構成する外胴と、内側の側面を構成する内胴と、前記外胴と前記内胴の上部を繋ぐ肩体と、底面を構成する底体とからなり、前記肩体の上端外周部に凹型断面を有するトラップ受部を設け、前記外胴の上端部に、前記トラップ受部の上部を覆う頂面部と、該頂面部の下面に前記トラップ受部内に嵌合するトラップ差込部とを設けたものとする。
【０００６】
この構成によれば、炊飯器の側面に前記外胴と前記肩体の継目が位置せず、蓋を閉じたときに外部から確認できる部分に未塗装の部材が露出しないため美観を向上できる。
【０００７】
また、本発明の炊飯器において、前記肩体の前記トラップ受部よりも内側に前記頂面部よりも高い壁部を設けてもよい。
【０００８】
この構成によれば、蓋は、前記壁部にあたり、前記頂面部に接触することがないので、前記頂面部に施した塗装が剥がれることがない。
【０００９】
また、本発明の炊飯器において、前記トラップ受部の下側の外縁部から立ち下げた垂下部を設けてもよい。
【００１０】
この構成によれば、前記外胴と前記肩体の間に水が侵入しても、前記外胴の内面をつたい落ちるので、侵入した水が電装品が設置されている可能性が高い前記肩体をつたい落ちて故障の原因となることを防止できる。
【発明の効果】
【００１１】
このように、本発明によれば、炊飯器に継目のない良好な美観と自由な塗装によるデザイン性が得られる。
【発明を実施するための最良の形態】
【００１２】
図１は、本発明の実施形態である炊飯器１の断面を示す。この炊飯器１は、底を有する筒状の本体２と、該本体２内部に収納する鍋３と、本体２および鍋３の上部開口を閉塞する蓋体４とからなっている。本体２は、外胴５、肩体６、底体７、内胴８および保護枠９からなり、他の構成要素を支持するために底体７に設けられた台座部７ａの上に肩体６をビス止めし、肩体６の外側に本体２の外表面となる外胴５を取付けている。また、底体７の台座部７ａに設置した保護枠９の上に内胴８を嵌入して肩体６により固定している。また、蓋体４は、外蓋１０に、鍋３を密封するための内蓋１１を設けたものである。
【００１３】
図２は、外胴５と肩体６の係合部の詳細を示す。肩体６の上端外周部には、全周にわたり溝のある凹型断面形状を有するトラップ受部１２が設けられている。そして、外胴５の上端部は、全周が内側に水平に張り出してトラップ受部１２の上部を覆う頂面部１３を構成し、さらに頂面部１３の下面には、トラップ受部１２の溝の全長にわたって嵌入されるトラップ差込部１４が設けられている。また、肩体６の上端には、全周に頂面部１３の内側に位置して頂面部１３よりも高い壁部１５を設けている。さらに、トラップ受部１２の下面の最も外側に、全周にわたって壁を立ち下げた垂下部１６を設けている。このような形状により、外胴５は肩体６に係合して支持されている。
【００１４】
この構造によって、本体２の側面には、外胴５と肩体６の継目がなくなるので、美観に優れ、継目を意識させないための余分な装飾等を施す必要もなく、より自由なデザインが可能となった。また、本体上部において、通常塗装されていない肩体６は、蓋体４を閉めたときに外から見えず、塗装を施された外胴５のみが外部から視認される。通常の製造工程において、外胴５の外側を塗装する際に頂面部１３の上側にも塗装を施すことは容易であり、肩体６を塗装する工程を設けなくても、外部から観察される範囲全体に塗装を施すことが可能であり、余分なコストをかけることなく、より美観に優れた炊飯器１が実現された。さらに、肩体６に頂面部１３よりも高い壁部１５を設けたので、蓋体４は、塗装していない肩体６の壁部１５の上端部に接し、塗装している外胴の頂面部１３には接触しない。これによって、頂面部１３に施した塗装が剥がれて美観を損なうことがなく、剥がれた塗料が鍋３の内部に落下することも防止している。
【００１５】
また、外胴５と肩体６の係合部は、ぴったりと密着して水などの侵入を許さないことが理想的ではあるが、樹脂の成形品にそのような精度を求めることはできず、継目に水などが侵入するおそれがある。本実施形態では、肩体６のトラップ受部１２に外胴のトラップ差込部１４を嵌入したことで、外胴５と肩体６の継目の断面形状は「Ｕ型」となって内部に侵入しようとする水等に対する「トラップ」を構成しており、上部から下向きに侵入した水等は、さらに、上向きに狭い水路を登り切らなければ本体２内部に侵入することができない。また、万が一にも、この「トラップ」を超えて水等が本体２内部に侵入してもトラップ受部１２の下面に設けた垂下部１６があるため、侵入した水等は、外胴５の内側をつたい落ちるように誘導され、制御機器や電気部品などが設置されることが多い肩体６をつたって流れ落ちることがない。これにより、水などの本体２内部への侵入による故障の発生を防止している。
【００１６】
次に、図３は、外胴５と底体７の係合部を示す。本実施例では従来のような突合せ構造とはせず、底体７の外側に、外胴５を被せるように嵌合する構造としている。これによっても、本体２の側面から継目をなくし、塗装を施していない底体７を目立たなくしてデザイン性を向上させている。
【００１７】
図４は、保護枠９の取付け方法を示す。底体７の台座部７ａの上に保護枠９のフランジ部が位置しているが、このフランジ部に切欠９ａを設け、肩体６に設けたボス６ａに係合させることで、保護枠９の本体２内での水平方向の向きを定められるようになっている。また、保護枠９の側面に設けたリブ９ｂが、底体７の台座部７ａに設けた受部７ｂに受留められ、台座部７ａにビス止めされた肩体６によって、内胴８とともに上から押さえつけられて高さが固定されている。この保護枠８の取付け構造によれば、保護枠９は、底体７の台座部７ａから外側にはみ出す部分がないので、本体２の厚みが薄くできる。
【００１８】
図５は、外胴５と肩体６の係合構造の他の実施形態である。図５Ａは、壁部１５を有しておらず蓋体４と頂面部が接触するので塗装を保護する機能はないが、継目が頂面部の下側に位置し、向きが水平方向であるので水等がより侵入し難い。図５Ｂは、トラップ差込部１４が頂面部１３の内側端部に位置し、トラップの内側の壁面がそのまま立ちあがって壁部１５となるので、係合部の構造が簡素になり、設計や成形が簡単である。図５Ｃは肩体６の内側に出っ張るように壁部１５が設けられている。図５Ｄは、外胴５と肩体６の距離が離れており、トラップ受部１２は、肩体６の上端から外側に張り出すようにして設けられている。他にも、本発明により個々の条件に最適な構造が可能である。
【００１９】
以上の説明のように、本発明により、簡単な構造でデザイン性に優れた炊飯器が提供可能となった。
【図面の簡単な説明】
【００２０】
【図１】本発明の実施形態である炊飯器の断面図。
【図２】図１の炊飯器の部分詳細図。
【図３】図１の炊飯器の部分詳細図。
【図４】図１の炊飯器の部分詳細図。
【図５】他の実施形態である炊飯器の部分詳細図。
【図６】従来の炊飯器の断面図。
【図７】従来の炊飯器の部分詳細図。
【図８】従来の炊飯器の部分詳細図。
【符号の説明】
【００２１】
１  炊飯器
２  本体
３  鍋
４  蓋体
５  外胴
６  肩体
７  底体
１２  トラップ受部
１３  頂面部
１４  トラップ差込部
１５  壁部
１６  垂下部
【図１】
2005152119.tif 000003
【図２】
2005152119.tif 000004
【図３】
2005152119.tif 000005
【図４】
2005152119.tif 000006
【図５】
2005152119.tif 000007
【図６】
2005152119.tif 000008
【図７】
2005152119.tif 000009
【図８】
2005152119.tif 000010